(57)【要約】【課題】ブランケット胴が、ラック機構に噛み合って転動するように構成された印刷機において、前記転動方向の印刷位置のずれが部分的に発生したときに、その部分的な位置ずれを修正すること。【解決手段】本発明の印刷装置は、ブランケット胴を移動させる方向と平行にラック機構を形成し、前記ブランケット胴の回転軸の少なくとも一端に歯車を取付け、この歯車と前記ラック機構のラックとを噛合させることによりブランケット胴の移動に伴なって回転させるべく形成した印刷機において、前記ラック機構は、ブランケット胴の移動方向で分割された複数の分割ラックで構成され、少なくとも何れか１つの分割ラックの位置を前記移動方向に微調整し得る調整手段を備えた。【選択図】図１
2008126563.tif 000002
【特許請求の範囲】
【請求項１】
ブランケット胴を移動させる方向と平行にラック機構を形成し、前記ブランケット胴の回転軸の少なくとも一端に歯車を取付け、この歯車と前記ラック機構のラックの歯とを噛合させることによりブランケット胴の移動に伴なって回転させるべく形成した印刷機において、前記ラック機構は、ブランケット胴の移動方向で分割された複数の分割ラックで構成され、
少なくとも何れか１つの分割ラックの歯の位置を前記移動方向に微調整し得る調整手段を備えたことを特徴とする印刷機。
【発明の詳細な説明】
【技術分野】
【０００１】
この発明は、ブランケット胴が、ラック機構に噛み合って転動するように構成された印刷機に関し、特には、前記転動方向の印刷位置のずれが部分的に発生したときに、その部分的な位置ずれを修正し得る機構を備えた印刷機に関するものである。
【背景技術】
【０００２】
従来、印刷対象物の上面に沿って、ブランケット胴をラック機構に噛み合わせて移動させることにより回転させることにより、前記ブランケット胴表面に転写された印刷像を印刷定盤上の印刷対象物の表面に印刷するように構成された印刷装置においては、種々の要因で前記転動方向の印刷位置のずれが部分的に発生する場合がある。
【発明の開示】
【発明が解決しようとする課題】
【０００３】
近年においては、長尺印刷対象物などに対する微細な印刷が要求され、印刷位置に関しても高い精度（例えば、転動方向の印刷位置のずれが±１０μ程度以内の精度）が必要となっているが、前述したような転動方向の部分的な位置ずれ補正は困難であった。
環境温度の変化による熱膨張に起因する一定でない印刷位置のずれや、部品の磨耗等に起因する順次進行する印刷位置のずれは、転動方向に沿って不均一に出現し、印刷位置が部分的にずれることがある。
【０００４】
このような部分的な位置ずれは、ブランケット胴とそのギアを固定しているロックボルトを緩めて、ブランケット胴の位相の変化を手で回しながら設定する作業や、ラック全体の位置を微調整しても、上述したような高い精度（例えば、転動方向の印刷位置のずれが±１０μ程度以内の精度）を得ることはできなかった。
【０００５】
そこで、この発明は、ブランケット胴の転動方向の印刷位置のずれが部分的に発生したときに、その部分的な位置ずれを修正し得る機構を提供するものである。
【課題を解決するための手段】
【０００６】
本発明は、
ブランケット胴を移動させる方向と平行にラック機構を形成し、前記ブランケット胴の回転軸の少なくとも一端に歯車を取付け、この歯車と前記ラック機構のラックの歯とを噛合させることによりブランケット胴の移動に伴なって回転させるべく形成した印刷機において、前記ラック機構は、ブランケット胴の移動方向で分割された複数の分割ラックで構成され、
少なくとも何れか１つの分割ラックの歯の位置を前記移動方向に微調整し得る調整手段を備えた。
【発明の効果】
【０００７】
本発明では、ラックは、ブランケット胴の移動方向で分割された複数の分割ラックで構成され、
少なくとも何れか１つの分割ラックの位置を前記移動方向に微調整し得る調整手段を備えているので、
ブランケット胴の転動方向の印刷位置のずれが部分的に発生したときに、その位置ずれに対応する部分の分割ラックの位置を、前記移動方向に微調整することによって、ブランケット胴の転動方向に発生した印刷位置の部分的なずれは、低減でされる。
このようにして、部分的な位置ずれを調整したあとは、全体的な位置ずれを従来通りの方法で調整すればよい。
ラック機構の分割数は最低２分割とするが、分割数を多くした方がより高精度に調整できる。分割ラックの歯の位置を、前記移動方向に微調整することは、ブランケット胴の歯車と噛み合う分割ラックの歯の位置を、実質的に前記移動方向に微調整することであって、分割ラックそのものを前記移動方向に移動させることも、斜めの歯が形成された分割ラックの場合には分割ラックを前記移動方向と異なる方向に移動させることによって、分割ラックの歯の位置を、実質的に前記移動方向に微調整することも含んでいる。
【０００８】
なお、分割ラックの全てに調整手段を備えてもよいことは当然である。この場合には、転動方向の全域にわたってさらに詳細な印刷位置合わせの調整が可能となる。
前記調整手段としては、位置を微調整可能な手段として、スクリューねじを用いた調整手段を採用することができる。
また、本発明は、ブランケット胴もしくは版胴がラック上を往復して正逆回転する構成の印刷機に適用できることは当然である。
【発明を実施するための最良の形態】
【０００９】
本発明を実施するための最良の形態を、図面を参照して説明する。
図１は本発明の印刷装置に用いられるブランケット胴の平面図、図２はその側面図であり、従来より公知のものである。
図１、２において、ブランケット胴１の回転軸１１の両端にはそれぞれ歯車１２、１３が固定されている。
【００１０】
図３は前記ブランケット胴１が転動するラック機構２と、印刷対象物がセットされた定盤３、印刷像が形成された版盤４の要部のみの平面図である。
前記ラック機構２は左右のラックがそれぞれ１本ずつのラックでは無く、それぞれが、転動方向に複数の分割ラック２１、２２、２３、・・・・に分割されている。
図示したように、少なくとも版盤４の両側のラックが分割された形態でもよいが、印刷定盤３の両側のラックが分割されてもよい。
図示した例では、版盤４の両側のラックを４つの分割ラック２１、２２、２３、２４に分割し、印刷定盤の両側のラックは分割しない一本の長尺ラック２５とした場合を示している。
【００１１】
各分割ラック２１、２２、２３、２４の間には僅かな隙間を設け、分割ラックの位置を微調整可能に構成している。また、各分割ラック２１、２２、２３、２４の位置を、ぞれぞれ転動方向に微調整するための微調整機構５１、５２、５３、５４を、各分割ラック２１、２２、２３、２４に付設している。
これらの微調整機構５１、５２、５３、５４は、十分に大きな減速比を備えた減速機構を、例えば手動ハンドルＨを手で回すように構成したものや、電動モータで回すように構成することができる。
【００１２】
例えば、前記手動ハンドルＨを操作して微調整機構を作動させるとことにより、微調整機構が付設された分割ラックを、矢印のように、転動方向に例えば±１０μｍ程度微動させることが可能となる。
【００１３】
以上のような印刷装置を使用して、版盤４にセットされた版の印刷像を、ブランケット胴１に転写して、印刷定盤３にセットされた印刷対象物の表面に印刷する。
このとき、印刷仕上がりをチェックしたときに、端の部分Ａが所定の正しい印刷位置よりＢ方向にα（例えば５μｍ）ずれていた場合には、印刷定盤上の前記端の部分Ａに対応する版盤の位置に対応する分割ラック２４を、前記Ｂ方向と反対側の方向Ｃにα（例えば５μｍ）だけ微動させる必要がある。そのため、前記分割ラック２４に付設された微調整機構５４を操作して、前記分割ラック２４を、前記Ｂ方向と反対側の方向Ｃにα（例えば５μｍ）だけ微動させる。
このように、印刷位置のずれた領域を含む分割ラックの位置を微調整することによって版とブランケット胴との相対的な位置を部分的に修正することにより、印刷仕上がりの部分的なずれが所定の位置に微調整されるのである。
【実施例１】
【００１４】
この実施例においては、前記微調整機構５１、５２、５３、５４を操作するために手動ハンドルＨを設けた。
また、各分割ラック２１、２２、２３、２４の隙間は、図示したように斜めにした。または、ラックの歯の傾きと非平行に形成してもよい。
また、図３に示したように、ラック機構２の歯の向きを転動方向（図３のＢ方向、Ｃ方向）に直交しないように傾斜させた場合には、微動させたい分割ラック（例えば分割ラック２３）を転動方向に直交するＤ方向に微動させて、分割ラックの歯の位置を実質的に移動方向に微調整することによって、印刷位置のずれを修正することができる。
【図面の簡単な説明】
【００１５】
【図１】本発明の印刷装置に用いるブランケット胴の正面図である。
【図２】前記ブランケット胴の側面図である。
【図３】前記ラック機構の要部の平面図である。
【符号の説明】
【００１６】
１  ブランケット胴
２  ラック機構
３  印刷定盤
４  版盤
５１、５２、５３、５４  微調整機構
【図１】
2008126563.tif 000003
【図２】
2008126563.tif 000004
【図３】
2008126563.tif 000005